(57)【要約】【課題】線膨張係数の比較的大きな素材を用いても良好な寸法安定性が得られる防水機能を有する床を提供する。【解決手段】衛生設備室の壁パネルが載置される外周部と、この外周部より内側に設けられ面方向に伸縮可能な伸縮許容部と、を有する防水パンと、防水パンの外周部が固定されると共に、防水パンの伸縮許容部を下から支える支持体と、を備えている。【選択図】図１
2008025123.tif 000002
【特許請求の範囲】
【請求項１】
衛生設備室の壁パネルが載置される外周部と、前記外周部より内側に設けられ面方向に伸縮可能な伸縮許容部と、を有する防水パンと、
前記外周部が固定されると共に、前記伸縮許容部を下から支える支持体と、
を備えたことを特徴とする防水機能を有する床。
【請求項２】
前記防水パンの表面及び裏面の少なくともいずれかに形成されたスリットによって、前記伸縮許容部が構成されることを特徴とする請求項１記載の防水機能を有する床。
【請求項３】
前記スリットが前記防水パンの表面に形成され、且つ前記スリットは、前記防水パンに形成された排水用開口に排水を導く排水溝を兼ねることを特徴とする請求項２記載の防水機能を有する床。
【請求項４】
前記伸縮許容部は、アコーディオン形状を呈することを特徴とする請求項１記載の防水機能を有する床。
【請求項５】
前記防水パンは、熱可塑性樹脂からなることを特徴とする請求項１〜４のいずれか１つに記載の防水機能を有する床。
【請求項６】
前記熱可塑性樹脂は、再生樹脂であることを特徴とする請求項５記載の防水機能を有する床。
【請求項７】
前記防水パンの表面に敷設された表面意匠シートをさらに備えたことを特徴とする請求項１〜６のいずれか１つに記載の防水機能を有する床。
【発明の詳細な説明】
【技術分野】
【０００１】
本発明は、例えば、浴室、シャワー室、トイレなどの衛生設備室に使用される防水機能を備えた床に関する。
【背景技術】
【０００２】
例えば浴槽と洗い場とを１つのユニットとして構成したユニットバスなどの浴室の床は、一般に、ＦＲＰ（Fiber Reinforced Plastic）が用いられている。これは、ＦＲＰが、浴室の床に求められる強度、防水性、成形性、意匠性、コストなど、様々な要件をバランスよく満たしているためであり、ユニットバス誕生から現在までの長い間、中心的な素材となっている。特に、近年では、生産性向上とコスト低減を図るため、シート状に予め加工したＦＲＰ（ＳＭＣ：Sheet Molding Compound）を用い、それをホットプレスすることで成型した「ＦＲＰモノコック構造」が採用されている。
【０００３】
このように、物性的には浴室など水周りに最適な素材であるＦＲＰではあるが、熱硬化性の樹脂が用いられるため、再度溶解して成型し直すなどの単純なマテリアルリサイクルは不可能で、また材料の生産工程上、スチレンなどの揮発性有機化合物の含有が不可避であるため、近年の循環型社会形成や環境配慮の気運の高まりの中、その使用に対しての風当たりが強くなってきている。
【０００４】
このような背景から、比較的リサイクルしやすくコストも安価なポリプロピレン、ポリエチレンなどの汎用熱可塑性樹脂をＦＲＰの代替材として浴室の床に採用することも提案されている。
【０００５】
ポリプロピレン、ポリエチレンなどの熱可塑性の汎用樹脂は、コストや環境面ではＦＲＰよりも有利であるが、線膨張係数が大きいため、浴室の環境温度の変化や製造時・保管時等の温度環境のばらつきによって、大きく寸法が変化してしまい、反りや変形が起きたり、組み立てに必要な精度が得られなかったりする不具合が発生しやすい。
【０００６】
例えば、ポリプロピレン、ポリエチレンなどの汎用熱可塑性樹脂の線膨張係数は、ＦＲＰの５倍程度である。例えば、温度変化範囲が５０℃の環境下で、１辺が１６００ｍｍの長さを有する床を考えた場合、計算上、ＦＲＰでは１．６ｍｍの変形で済むところ、汎用熱可塑性樹脂では８ｍｍの変形となる。ユニットバスの床には浴室内寸を規定させる機能もあるため、８ｍｍの変形は許容しがたく、例えば防水パン上に載置される壁パネル間に隙間が生じるなどの不具合が生じる可能性がある。
【０００７】
素材そのものの線膨張係数を抑えるため樹脂中にガラス繊維等を混ぜて熱可塑性樹脂をベースにしたＦＲＰ化とする改善案も考えられるが、材料単価が高くなってしまうため、汎用樹脂を使用することで得られるせっかくの価格競争力が低下してしまう。また、ガラス繊維等を混入した複合材料はリサイクル性も大きく低下する。
【０００８】
また、熱可塑性樹脂からなる基材の裏面に、発泡樹脂、金属材、木質材のいずれかで構成される別部材の補強材を付着形成したり（特許文献１参照）、補強材を樹脂中に一体的にインサート成型するなどして、成型品を熱変形しにくくすることも考えられるが、通常、樹脂材の線膨張による寸法変化の力は強大であるため強固な補強が必要となりコスト高をまねき、また、異部材を熱可塑性樹脂に組み込むとリサイクルが困難になる。
【特許文献１】特開２００１−２４８１９８号公報
【発明の開示】
【発明が解決しようとする課題】
【０００９】
本発明は、線膨張係数の比較的大きな素材を用いても良好な寸法安定性が得られる防水機能を有する床を提供する。
【課題を解決するための手段】
【００１０】
本発明の一態様によれば、衛生設備室の壁パネルが載置される外周部と、前記外周部より内側に設けられ面方向に伸縮可能な伸縮許容部と、を有する防水パンと、前記外周部が固定されると共に、前記伸縮許容部を下から支える支持体と、を備えたことを特徴とする防水機能を有する床が提供される。
【発明の効果】
【００１１】
本発明によれば、線膨張係数の比較的大きな素材を用いても良好な寸法安定性が得られる防水機能を有する床が提供される。
【発明を実施するための最良の形態】
【００１２】
以下、図面を参照し、本発明の実施形態について説明する。
【００１３】
図１は、本発明の第１の実施形態に係る防水機能を備えた床の分解斜視図である。  
図２は、同第１の実施形態に係る床の要部断面構造を表す模式図である。
【００１４】
本実施形態では、例えば、浴室における洗い場の床を例に挙げて説明する。本実施形態に係る床は、主として、支持体１１と、防水パン１２とを備える。
【００１５】
支持体１１は、支持脚１４（図２に図示）を介して、浴室が設置される建物床上に据え付けられる。支持体１１は、例えば、鋼材からなる四角い外枠２１と、同じく鋼材からなる角材を縦横に組み合わせた内枠２２と、を組み合わせて構成される。
【００１６】
支持体１１の上には、防水パン１２が載置される。防水パン１２は、浴室外部に湯水を漏出させない防水性を有する。防水パン１２は、浅底の器状を呈し、その底面部の外周部２４には、浴室の壁を構成する壁パネル１５（図２において２点鎖線で図示）が載置されると共に支持体１１の外枠２１に固定される。
【００１７】
防水パン１２において、外周部２４より内側には、面方向に伸縮可能な伸縮許容部が設けられている。本実施形態では、伸縮許容部は、防水パン１２の表面及び裏面に形成されたスリット２６ａ、２６ｂ、２８によって構成される。
【００１８】
防水パン１２の表面には、図１に表されるように、防水パン１２の長手方向に延在する２本のスリット２６ａ、および防水パン１２の短手方向に延在する２本のスリット２６ｂが形成されている。各々のスリット２６ａ、２６ｂはいずれも途中で途切れずに各々の延在方向に連続して形成されている。
【００１９】
防水パン１２の裏面には、表面側の各々のスリット２６ａ、２６ｂを挟んで位置し、それら各々のスリット２６ａ、２６ｂに対して平行に延在するスリット２８（図２に図示）が形成されている。なお、図２に図示される断面には表されていないが、表面側で短手方向に延在するスリット２６ｂを挟む位置にもそのスリット２６ｂに対して平行に延在するスリット２８が形成されている。防水パン１２の裏面に形成されたスリット２８も途中で途切れずに各々の延在方向に連続して形成されている。
【００２０】
すなわち、本実施形態では、防水パン１２の表裏に互い違いに形成されたスリット２６ａ、２６ｂ、２８によってアコーディオン（蛇腹）形状の伸縮許容部が形成されている。なお、防水パン１２の裏面に形成された１本のスリットを挟むように、防水パン１２の表面に２本のスリットを形成することでアコーディオン形状の伸縮許容部を構成してもよい。また、１箇所の伸縮許容部につき、スリットは３本に限らず、４本以上であってもよく、さらには、防水パン１２の表裏にそれぞれ１本ずつ互い違いに形成した２本のスリットから伸縮許容部が構成されてもよい。
【００２１】
また、防水パン１２の底面部には、図示しない排水トラップに通じる排水用開口２５が形成され、その排水用開口２５を介して排水トラップに導かれた排水は、図示しない排水管を介して浴室外に排水される。
【００２２】
浴室の床として必要な強度は、防水パン１２のみによって確保されるのではなく、防水パン１２と、これを支持する支持体１１とによって確保される。支持体１１は、例えば鋼材を縦横に組み合わせて構成され十分な強度を有するため、その分、防水パン１２にはそれほど高い強度は要求されない。このため、例えば、ＦＲＰに比べて強度の弱い汎用樹脂の薄物成型品を防水パン１２として用いることができ、また、補強リブを設けたり、ガラス繊維等の補強材を含浸させるなどの強度を高めるための各種工夫を施さなくてよい。したがって、防水パン１２に要するコストを、ＦＲＰを使った場合に比べて安価にできる。また、熱可塑性樹脂は、不要になったら再度溶かして作り直しが可能であるため、リサイクルしやすい利点がある。
【００２３】
例えば、防水パン１２としては、ポリプロピレン、ポリエチレン、ＡＢＳ、ポリ塩化ビニール等の汎用熱可塑性樹脂の成型品を用いることができる。この成型品は、石油を主原料として新たに生成されたものであってもよいし、廃プラスチック等から再生された再生樹脂であってもよい。再生樹脂を用いた場合は、素材コストのさらなる低減が図れると共に、資源の有効利用にもなる。
【００２４】
また、防水パン１２の表面自体を、洗い場床の意匠面としてもよいが、例えば安価な再生樹脂を用いた場合には意匠性に優れないことがあり、別途、防水パン１２の表面に表面意匠シート１３を敷設してもよい。表面意匠シート１３は、ポリプロピレンやポリエチレン等の汎用樹脂や、水に強く、意匠性に優れ、浴室床の表面部の機能を満たす仕上げ素材等が用いられる。さらに、表面意匠シート１３を軟質仕上げとしたり、断熱機能を付加するなどによって、ＦＲＰ単一材料によるモノコック構造では実現できない、やわらかくて暖かい質感の床という付加価値を加えることも可能となる。
【００２５】
防水パン１２の外周部２４は、支持体１１の外枠２１に固定される。図２では、例えばボルト３０を用いて防水パン１２の外周部２４を、支持体１１の外枠２１に固定させた具体例を表しているが、これに限ることはなく、それら両者を、接着剤、両面テープ、樹脂の弾性を利用した係合等によって固定させてもよい。
【００２６】
防水パン１２の伸縮許容部は、支持体１１の内枠２２上に載置される。伸縮許容部は、内枠２２には固定されず、内枠２２上で防水パン１２の面方向に伸縮可能となっている。具体的には、長手方向に延在するスリット２６ａ及びそれに平行な裏面側のスリット２８は、内枠２２における長手方向に延在する部分２２ａの上に載置支持され、短手方向に延在するスリット２６ｂ及びそれに平行な裏面側のスリット２８は、内枠２２における短手方向に延在する部分２２ｂの上に載置支持される。
【００２７】
温度変化により防水パン１２が面方向に線膨張・収縮しようとすると、図３に表すように、伸縮許容部が伸縮する。防水パン１２に線膨張力が作用すると、図３（ａ）に表すように、スリット２６ａ、２６ｂ、２８が広がる方向に伸縮許容部は伸びる。防水パン１２に収縮力が作用すると、図３（ｂ）に表すように、スリット２６ａ、２６ｂ、２８が狭くなる方向に伸縮許容部は縮む。
【００２８】
防水パン１２の外周部２４は、温度変化による寸法変化の小さい例えば鋼材からなる支持体外枠２１に固定され、変形が制限されている。そして、その外周部２４よりも内側に、温度変化を受けたときに伸縮しやすい部分（伸縮許容部）を設けることで、防水パン１２が温度変化環境下で膨張・収縮しようとしたときに、伸縮許容部が伸縮してくれることで、支持体外枠２１に対して簡易的に拘束された外周部２４には、温度変化による変形の影響が及ばないようにした。
【００２９】
防水パン１２の外周部２４は、浴室の内寸など基準となる寸法を規定する壁パネル１５が載置される部分であり、その部分が変形せず寸法が安定しさえすれば、内側の部分が多少伸縮しても、部材間に隙間が形成される、過大な力がかかるなどの不具合が生じることがない。
【００３０】
本実施形態の構成を採用することで、ＦＲＰより線膨張係数が大きく寸法安定性に劣る例えば汎用熱可塑性樹脂を防水パン１２の素材として使用した場合でも、温度変化による寸法変化を起因とした不具合が起きない。よって、安価でリサイクル性に優れた材料から防水パン１２を構成することができる。
【００３１】
また、通常、樹脂材の線膨張による寸法変化の力は強大で、前述した伸縮許容部を設けずに、防水パンを強制的に拘束させることだけで変形防止を図ろうとする場合には、かなり強固に防水パンを拘束する必要がある。本実施形態では、前述したように、浴室の寸法には影響を与えない部分に、ある程度の伸縮を許容する構成を設けることで、その伸縮許容部が力の緩衝帯として機能し、外周部２４には過大な力が作用しにくく、そのため、外周部２４のみを例えばボルト固定のように簡易的に拘束するだけでよく、防水パン１２の強固な拘束構造は必要なく、コストが抑えられる。
【００３２】
防水パン１２内側部分の膨張伸縮に伴う応力が、外周部２４におよびにくくするには、スリット２６ａ、２６ｂ、２８を切れ目なく連続して形成すると効果的である。しかし、スリット２６ａ、２６ｂ、２８が連続して形成されると、そのスリット２６ａ、２６ｂ、２８形成部における曲げ強度が低下して、荷重を支える床として機能しにくくなる。しかし、本実施形態では、伸縮許容部は、支持体内枠２２によって下から支えられているため、その部分で折れ曲がることなく、床として十分な曲げ強度を確保できる。
【００３３】
表面意匠シート１３を、防水パン１２の表面に敷設すると、防水パン１２の表面に形成されたスリット２６ａ、２６ｂを隠すことができ、浴室の床としての意匠性を損ねない。また、防水パン１２の表面に形成されるスリットを、排水用開口２５に導くように形成して、排水溝としても機能するようにすれば、表面意匠シート１３を設けなくても、そのスリットに機能美を発現させることができる。
【００３４】
防水パン１２の表面にスリットを露見させたくない場合には、図４に表すように、防水パン１２の裏面のみにスリット３８を形成してもよい。この場合でも、温度変化により各スリット３８が、広がったり、狭くなったりすることで伸縮許容部として機能する。
【００３５】
スリットによって伸縮許容部を構成することに限らず、図５に表すように、例えば、防水パン４２の一部を「Ｕ字」状に加工することで伸縮許容部４６を構成してもよい。Ｕ字状部４６ａの両脇は、中空構造の支持体５１の上端部に支持されている。支持体５１の外側上端部５１ａは、防水パン４２の外周部４４に固定され、壁パネル１５が載置され浴室の寸法を規定する外周部４４を拘束している。支持体５１の内側上端部５１ｂは、防水パン４２に固定されず、単に載置支持しているだけである。Ｕ字状部４６ａは、支持体５１の上端に形成された開口を介して支持体５１の中空部内に位置し、拘束されず、変形が許容されている。
【００３６】
本具体例においても、防水パン４２が温度変化環境下で膨張・収縮しようとしたときに、Ｕ字状部４６ａが広がったり縮んだりすることで、支持体５１に対して拘束された外周部４４には、温度変化による変形の影響が及ばず、浴室内寸の変動を抑えることができる。
【００３７】
［第２の実施形態］
図６は、本発明の第２の実施形態に係る防水機能を備えた床の分解斜視図である。  
図７は、同第２の実施形態に係る床の要部断面構造を表す模式図である。
【００３８】
本実施形態に係る防水機能を備えた床は、主として、フレーム状架台６０と、支持体６１と、防水パン６２とを備える。
【００３９】
フレーム状架台６０は、支持脚６４を介して、浴室が設置される建物床上に据え付けられる。フレーム状架台６０は、浴室構造体の最下部で、支持体６１、防水パン６２、壁パネル１６、天井パネル（図示せず）等の重みや、床上の人が動くことによる動荷重を受けとめる土台として機能する。したがって、フレーム状架台６０は、十分な強度を有し、例えば、鋼材からなる角材を縦横に組み合わせて構成される。
【００４０】
フレーム状架台６０の上には、例えば、ネジ止めなどにより、支持体６１が固定される。支持体６１は、洗い場床面とほぼ同じ平面寸法を有する板状を呈し、フレーム状架台６０と共に床の機械的強度を高める役割を担うと共に、床面のたわみや曲げに対する面強度（剛性）を高める役割を担う。
【００４１】
支持体６１は、例えば、石膏ボード、木質系ボード、硬質ポリウレタンフォームなどの芯材を薄い２枚の鋼板で挟んだサンドイッチ鋼板等からなる。これら材料は、樹脂に比べて、温度変化による寸法変化が小さく、形状安定性に優れ、組み立てに必要な精度を得ることができる。また、特にサンドイッチ鋼板構造を採用した支持体６１において、硬質ポリウレタンフォームやロックウールボードなどの断熱性に優れた芯材を用いれば、床面を冷めにくくでき、使用者に不快感（冷たい感じ）を与えにくくできる。
【００４２】
支持体６１の上には、防水パン６２が載置される。防水パン６２は、浴室外部に湯水を漏出させない防水性を有する。防水パン６２は、浅底の器状を呈し、その外周部６８（図７参照）には、浴室の壁を構成する壁パネル１５が載置されると共に支持体６１に固定される。図７では、例えばボルト３１を用いて防水パン６２の外周部６８を、支持体６１に固定させた具体例を表しているが、これに限ることはなく、それら両者を、接着剤、両面テープ、樹脂の弾性を利用した係合等によって固定させてもよい。
【００４３】
防水パン６２において、外周部６８より内側には、面方向に伸縮可能な伸縮許容部が設けられている。本実施形態では、伸縮許容部は、防水パン６２の裏面に格子状に形成されたスリット６５によって構成される。各スリット６５は、途中で途切れずに各々の延在方向に連続して形成されている。スリット６５（伸縮許容部）を形成した防水パン６２の内側部分は、支持体６１に固定されずに載置支持され、伸縮許容部は、支持体６１上で面方向に伸縮可能となっている。
【００４４】
本実施形態においても、防止パン６２の外周部６８は、温度変化による寸法変化の小さい例えば鋼材等からなる支持体６１に固定され、変形が制限されている。そして、その外周部６８よりも内側に、温度変化を受けたときに伸縮しやすい部分（伸縮許容部）を設けることで、防水パン６２が温度変化環境下で膨張・収縮しようとしたときに、伸縮許容部が伸縮してくれることで、支持体６１に対して簡易的に拘束された外周部６８には、温度変化による変形の影響が及ばないようにした。
【００４５】
その外周部６８は、浴室の内寸など基準となる寸法を規定する壁パネル１５が載置される部分であり、その部分が変形せず寸法が安定しさえすれば、内側の部分が多少伸縮しても、部材間に隙間が形成される、過大な力がかかるなどの不具合が生じることがない。
【００４６】
本実施形態の構成を採用することで、ＦＲＰより線膨張係数が大きく寸法安定性に劣る例えば汎用熱可塑性樹脂を防水パン６２の素材として使用した場合でも、温度変化による寸法変化を起因とした不具合が起きない。よって、安価でリサイクル性に優れた材料から防水パン６２を構成することができる。
【００４７】
防水パン６２内側部分の膨張伸縮に伴う応力が、外周部６８におよびにくくするには、各スリット６５を切れ目なく連続して形成すると効果的である。しかし、スリット６５が連続して形成されると、そのスリット６５形成部における曲げ強度が低下して、荷重を支える床として機能しにくくなる。しかし、本実施形態では、スリット６５形成部は、支持体６２によって下から支えられているため、その部分で折れ曲がることなく、床として十分な曲げ強度を確保できる。
【００４８】
浴室洗い場床に要求される強度、防水性、意匠性などの機能を、ＦＲＰ単一材料によるモノコック構造（一体構造）で充足させるのではなく、それら各機能を担う別々の部材を組み合わせることで、全体として強度、防水性、意匠性を充足する構造体としている。各部材は、単一機能だけを充足すればよく、素材選択肢が広がり安価な汎用品を用いることができ、これら安価な汎用品を組み合わせることで、高機能なＦＲＰのモノコック構造に比べて、全体のコストも安価にできる。
【００４９】
さらに、本実施形態では、浴室洗い場床に要求される強度は、フレーム状架台６０及び支持体６１が担うので、防水パン６２は、単に防水性だけを考慮して汎用樹脂の薄肉成型品を用いることができ、安価な防水パン６２を提供できる。また、防水パン６２の素材として、熱可塑性樹脂を用いた場合にはリサイクル性も向上し、さらに再生樹脂を用いた場合には材料コストをより低減できる。
【００５０】
以上、具体例を参照しつつ本発明の実施形態について説明した。しかし、本発明は、それらに限定されるものではなく、本発明の技術的思想に基づいて種々の変形が可能である。
【図面の簡単な説明】
【００５１】
【図１】本発明の第１の実施形態に係る防水機能を備えた床の分解斜視図である。
【図２】同第１の実施形態に係る床の要部断面構造を表す模式図である。
【図３】第１の実施形態における伸縮許容部の動きを説明するための模式図である。
【図４】伸縮許容部の他の具体例を表す模式図である。
【図５】伸縮許容部のさらに他の具体例を表す模式図である。
【図６】本発明の第２の実施形態に係る防水機能を備えた床の分解斜視図である。
【図７】同第２の実施形態に係る床の要部断面構造を表す模式図である。
【符号の説明】
【００５２】
１１…支持体、１２…防水パン、１３…表面意匠シート、１４…支持脚、１５…壁パネル、２４…外周部、２６ａ，２６ｂ，２８，３８…スリット、４２…防水パン、４４…外周部、４６…伸縮許容部、５１…支持体、６０…フレーム状架台、６１…支持体、６２…防水パン、６５…スリット、６８…外周部
【図１】
2008025123.tif 000003
【図２】
2008025123.tif 000004
【図３】
2008025123.tif 000005
【図４】
2008025123.tif 000006
【図５】
2008025123.tif 000007
【図６】
2008025123.tif 000008
【図７】
2008025123.tif 000009